(57)【特許請求の範囲】
【請求項１】
取付部を有するプロジェクタと、
前記取付部で前記プロジェクタを支持するプロジェクタ支持台と、
を備えたプロジェクタ装置であって、
前記プロジェクタ支持台は、
前記取付部を取付け可能なプロジェクタ支持部を有する回動部と、
吸気口を有し、前記回動部を回動可能に支持する固定部と、
を備え、
前記固定部は、
前記吸気口から取り込まれた吸気が通過する第１の吸気通路を有し、
前記回動部は、
前記第１の吸気通路を通過した前記吸気を取り込むための吸気取込口と、
前記吸気取込口から取り込まれた前記吸気が通過する第２の吸気通路と、
前記第２の吸気通路を通過した前記吸気を前記プロジェクタの吸気孔に排出する吸気排出口と、を有する、
プロジェクタ装置。
【請求項２】
前記回動部が前記固定部に対して回動するとき、前記吸気取込口は前記第１の吸気通路上をスライドする、
請求項１に記載のプロジェクタ装置。
【請求項３】
前記プロジェクタは、
前記取付部と前記吸気孔とが一体化され、
前記回動部は、
前記プロジェクタ支持部と前記吸気排出口とが一体化された、
請求項１に記載のプロジェクタ装置。
【請求項４】
前記プロジェクタ支持部は、
前記プロジェクタを前記取付部で回動可能に支持する、
請求項１に記載のプロジェクタ装置。
【請求項５】
前記回動部は、
前記プロジェクタの排気孔から排出される前記プロジェクタの排気を取り込む排気取込口と、
前記排気取込口から取り込まれた前記排気が通過する第１の排気通路と、
前記第１の排気通路を通過した前記排気を排出する排気排出口と、を有し、
前記固定部は、
前記排気排出口から排出される前記排気が通過する第２の排気通路と、
前記第２の排気通路を通過した前記排気を排出する排気口と、を有する
請求項１に記載のプロジェクタ装置。
【請求項６】
前記回動部が前記固定部に対して回動するとき、前記排気排出口は前記第２の排気通路上をスライドする、
請求項５に記載のプロジェクタ装置。
【請求項７】
前記プロジェクタは、一対の前記取付部を有し、
前記一対の取付部の一方と前記吸気孔とが一体化され、前記一対の取付部の他方と前記排気孔とが一体化され、
前記回動部は、一対の前記プロジェクタ支持部を有し、
前記一対のプロジェクタ支持部の一方と前記吸気排出口とが一体化され、前記一対のプロジェクタ支持部の他方と、前記排気取込口とが一体化された、
請求項５に記載のプロジェクタ装置。
【請求項８】
プロジェクタを取り付け可能なプロジェクタ支持部を有する回動部と、
吸気口を有し、前記回動部を回動可能に支持する固定部と、
を備え、
前記固定部は、
前記吸気口から取り込まれた吸気が通過する第１の吸気通路を有し、
前記回動部は、
前記第１の吸気通路を通過した前記吸気を取り込むための吸気取込口と、
前記吸気取込口から取り込まれた前記吸気が通過する第２の吸気通路と、
前記第２の吸気通路を通過した前記吸気を前記プロジェクタの吸気孔に排出する吸気排出口と、を有する、
プロジェクタ支持台。
【請求項９】
前記回動部が前記固定部に対して回動するとき、前記吸気取込口は前記第１の吸気通路上をスライドする、
請求項８に記載のプロジェクタ支持台。
【請求項１０】
前記回動部において、
前記プロジェクタ支持部と前記吸気排出口とが一体化された、
請求項８に記載のプロジェクタ支持台。
【請求項１１】
前記プロジェクタ支持部は、前記プロジェクタを回動可能に支持する、
請求項８に記載のプロジェクタ支持台。
【請求項１２】
前記回動部は、
前記プロジェクタの排気孔から排出される前記プロジェクタの排気を取り込む排気取込口と、
前記排気取込口から取り込まれた前記排気が通過する第１の排気通路と、
前記第１の排気通路を通過した前記排気を排出する排気排出口と、を有し、
前記固定部は、
前記排気排出口から排出される前記排気が通過する第２の排気通路と、
前記第２の排気通路を通過した前記排気を排出する排気口と、を有する
請求項８に記載のプロジェクタ支持台。
【請求項１３】
前記回動部が前記固定部に対して回動するとき、前記排気排出口は前記第２の排気通路上をスライドする、
請求項１２に記載のプロジェクタ支持台。
【請求項１４】
前記回動部は、一対の前記プロジェクタ支持部を有し、
前記一対のプロジェクタ支持部の一方と前記吸気排出口とが一体化され、前記一対のプロジェクタ支持部の他方と、前記排気取込口とが一体化された、
請求項１２に記載のプロジェクタ支持台。
【発明の詳細な説明】
【技術分野】
【０００１】
本開示は、プロジェクタを回動可能に支持するプロジェクタ支持台を備えたプロジェクタ装置に関する。
【背景技術】
【０００２】
特許文献１は、３台のプロジェクタを連結して使用するプロジェクタシステムを開示する。このプロジェクタシステムは、プロジェクタ間を封止部で隔てる構成を有する。この構成により、１台のプロジェクタの排気が他のプロジェクタに吸気されることが防止される。これにより、このプロジェクタシステムでは、１台のプロジェクタから排出される排気が他のプロジェクタを加熱するのを防止できる。
【先行技術文献】
【特許文献】
【０００３】
【特許文献１】特開２０１０−１６４９４２号公報
【発明の概要】
【発明が解決しようとする課題】
【０００４】
本開示は、プロジェクタを回動可能に支持するプロジェクタ支持台にプロジェクタが取り付けられて構成されたプロジェクタ装置を提供する。
【課題を解決するための手段】
【０００５】
本開示におけるプロジェクタ装置は、取付部を有するプロジェクタと、その取付部でプロジェクタを支持するプロジェクタ支持台と、を備える。プロジェクタ支持台は、回動部と、固定部と、を備える。回動部は、プロジェクタの取付部を取付け可能なプロジェクタ支持部を有する。固定部は、吸気口を有し、回動部を回動可能に支持する。また、固定部は、吸気口から取り込まれた吸気が通過する第１の吸気通路を有する。回動部は、第１の吸気通路を通過した吸気を取り込むため吸気取込口と、吸気取込口から取り込まれた吸気が通過する第２の吸気通路と、第２の吸気通路を通過した吸気をプロジェクタの吸気孔に排出する吸気排出口と、を有する。
【０００６】
本開示におけるプロジェクタ支持台は、回動部と、固定部と、を備える。回動部は、プロジェクタを取り付け可能なプロジェクタ支持部を有する。固定部は、吸気口を有し、回動部を回動可能に支持する。また、固定部は、吸気口から取り込まれた吸気が通過する第１の吸気通路を有する。回動部は、第１の吸気通路を通過した吸気を取り込むため吸気取込口と、吸気取込口から取り込まれた吸気が通過する第２の吸気通路と、第２の吸気通路を通過した吸気をプロジェクタの吸気孔に排出する吸気排出口と、を有する。
【発明の効果】
【０００７】
本開示におけるプロジェクタ装置およびプロジェクタ支持台は、吸気口の位置を固定したままプロジェクタの映像投射方向を変えることを可能にする。
【図面の簡単な説明】
【０００８】
【図１】図１は、実施の形態１におけるプロジェクタ装置を前方右上方向から見た斜視図である。
【図２】図２は、実施の形態１におけるプロジェクタ装置を後方左上方向から見た斜視図である。
【図３Ａ】図３Ａは、実施の形態１におけるプロジェクタの正面図である。
【図３Ｂ】図３Ｂは、実施の形態１におけるプロジェクタの背面図である。
【図３Ｃ】図３Ｃは、実施の形態１におけるプロジェクタの右側面図である。
【図３Ｄ】図３Ｄは、実施の形態１におけるプロジェクタの左側面図である。
【図４Ａ】図４Ａは、実施の形態１におけるプロジェクタ装置の右側面図である。
【図４Ｂ】図４Ｂは、実施の形態１におけるプロジェクタ装置の左側面図である。
【図５Ａ】図５Ａは、実施の形態１におけるプロジェクタ支持台の断面図である。
【図５Ｂ】図５Ｂは、実施の形態１におけるプロジェクタ支持台の断面図である。
【図６Ａ】図６Ａは、実施の形態１におけるプロジェクタ支持台の内部構造を示す分解斜視図である。
【図６Ｂ】図６Ｂは、実施の形態１におけるプロジェクタ支持台の内部構造を示す分解斜視図である。
【図７】図７は、実施の形態２におけるプロジェクタ装置を前方右上方向から見た斜視図である。
【図８Ａ】図８Ａは、実施の形態２におけるプロジェクタの正面図である。
【図８Ｂ】図８Ｂは、実施の形態２におけるプロジェクタの背面図である。
【図８Ｃ】図８Ｃは、実施の形態２におけるプロジェクタの右側面図である。
【図８Ｄ】図８Ｄは、実施の形態２におけるプロジェクタの左側面図である。
【図９】図９は、実施の形態２におけるプロジェクタ装置の右側面図である。
【図１０Ａ】図１０Ａは、実施の形態２におけるプロジェクタ支持台の断面図である。
【図１０Ｂ】図１０Ｂは、実施の形態２におけるプロジェクタ支持台の断面図である。
【図１１】図１１は、実施の形態２におけるプロジェクタ支持台の内部構造を示す分解斜視図である。
【図１２】図１２は、実施の形態３におけるプロジェクタ装置を前方右上方向から見た斜視図である。
【図１３】図１３は、実施の形態３におけるプロジェクタ装置の右側面図である。
【図１４Ａ】図１４Ａは、実施の形態３におけるプロジェクタ支持台の断面図である。
【図１４Ｂ】図１４Ｂは、実施の形態３におけるプロジェクタ支持台の断面図である。
【図１５】図１５は、実施の形態３におけるプロジェクタ支持台の内部構造を示す分解斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより特許請求の範囲に記載の主題を限定することは意図されていない。
【００１１】
なお、以下の説明では、便宜上、プロジェクタが映像光を投射する方向を前方とし、その逆を後方とする。
【００１２】
（実施の形態１）
以下、図１〜図６Ａ、６Ｂを用いて、実施の形態１を説明する。
【００１３】
［１−１．構成］
図１は、実施の形態１におけるプロジェクタ装置１００を前方右上方向から見た斜視図である。図２は、実施の形態１におけるプロジェクタ装置１００を後方左上方向から見た斜視図である。
【００１４】
図１、図２に示すように、プロジェクタ装置１００は、プロジェクタ１１０と、プロジェクタ支持台１２０と、を備える。
【００１５】
プロジェクタ支持台１２０は、回動部１０３と、固定部１０４と、を備える。
【００１６】
回動部１０３は、プロジェクタ１１０を回動可能に支持する一対のプロジェクタ支持部１２１Ｌ、１２１Ｒを有する。
【００１７】
固定部１０４は、吸気口１０１と、排気口１０２と、を有し、回動部１０３を回動可能に支持する。
【００１８】
プロジェクタ１１０は、外部から入力される映像信号を映像光に変換し、その映像光をスクリーン（図示せず）に向かって投射する。映像光が投射されたスクリーンには、映像信号に応じた映像が表示される。映像光は、プロジェクタ１１０の前面１１１に設けられた映像投射部１０５から投射される。なお、プロジェクタ１１０におけるこれらの機能およびこれらの機能を実現するための構成は、一般に用いられているプロジェクタと実質的に同じであるので、詳細な説明は省略する。
【００１９】
プロジェクタ装置１００において、プロジェクタ１１０は、一対のプロジェクタ支持部１２１Ｌ、１２１Ｒに回動可能に支持されている。したがって、ユーザ（図示せず）は、プロジェクタ１１０から投射される映像光の投射方向を、上下方向に関して任意に調整することができる。また、プロジェクタ装置１００において、回動部１０３は、固定部１０４に回動可能に支持されている。そのため、プロジェクタ支持部１２１Ｌ、１２１Ｒに支持されたプロジェクタ１１０も、回動部１０３の動きに合わせて回動する。したがって、ユーザは、プロジェクタ１１０から投射される映像光の投射方向を、左右方向に関して任意に調整することができる。すなわち、プロジェクタ装置１００を使用するユーザは、これら上下左右の動きを組み合わせることで、プロジェクタ１１０から投射される映像光の投射方向を、任意の方向に設定することができる。
【００２０】
なお、上述した左右方向とは、プロジェクタ支持台１２０が設置される設置面に対して水平方向のことであり、上述した上下方向とは、その設置面に対して垂直方向のことである。
【００２１】
プロジェクタ支持台１２０は、外部の空気を吸気口１０１から取り込み、排気口１０２から外部に空気を排出するように構成されている。以下、この取り込まれた空気を「吸気」と呼ぶ。吸気口１０１から取り込まれた吸気は、プロジェクタ支持台１２０の内部を通ってプロジェクタ１１０に取り込まれ、プロジェクタ１１０の冷却に使用される。冷却に使用されて加熱された空気は、プロジェクタ１１０から排出される。以下、この排出される空気を「排気」と呼ぶ。プロジェクタ１１０から排出された排気は、プロジェクタ支持台１２０の内部を通り、排気口１０２から排出される。これらの構造の詳細は後述する。
【００２２】
このように、プロジェクタ装置１００では、プロジェクタ１１０の冷却に使用される空気は、プロジェクタ支持台１２０の固定部１０４に設けられた吸気口１０１から取り込まれ、プロジェクタ１１０から排出される排気は、固定部１０４に設けられた排気口１０２から排出される。
【００２３】
プロジェクタ装置１００では、回動部１０３が設置面に対して回動しても、固定部１０４は設置面に対して静止したままである。したがって、回動部１０３が回動しても、吸気口１０１および排気口１０２は設置面に対しての位置を変えず、吸気口１０１の吸気方向および排気口１０２の排気方向も変化しない。
【００２４】
なお、プロジェクタ支持台１２０では、排気口１０２から排出される排気が吸気口１０１から取り込まれることを防止するために、吸気口１０１と排気口１０２とは互いに異なる位置に設けられることが望ましい。具体的には、吸気口１０１の吸気方向と排気口１０２の排気方向とが、互いに逆向き、またはねじれの位置になることが好ましい。図１、図２には、吸気口１０１と排気口１０２とが、固定部１０４上で対向する位置に設けられた例を示している。しかし、本実施の形態は、吸気口１０１と排気口１０２との設置位置を、何らこの例に限定するものではない。
【００２５】
次に、プロジェクタ１１０について説明する。
【００２６】
図３Ａは、実施の形態１におけるプロジェクタ１１０の正面図である。図３Ｂは、実施の形態１におけるプロジェクタ１１０の背面図である。図３Ｃは、実施の形態１におけるプロジェクタ１１０の右側面図である。図３Ｄは、実施の形態１におけるプロジェクタ１１０の左側面図である。
【００２７】
図４Ａは、実施の形態１におけるプロジェクタ装置１００の右側面図である。図４Ｂは、実施の形態１におけるプロジェクタ装置１００の左側面図である。
【００２８】
図３Ａ〜３Ｄに示すように、プロジェクタ１１０は、映像光を投射するためのレンズを有する映像投射部１０５を前面１１１に備えている。また、プロジェクタ１１０は、プロジェクタ１１０を前方から見たときの右側面に取付部１１３Ｒを備え、左側面に取付部１１３Ｌを備えている。また、プロジェクタ１１０は、背面１１２等に映像信号入力端子やコンピュータ接続端子等を備えていてもよい。
【００２９】
取付部１１３Ｌ、１１３Ｒは、円筒状に突出した形状を有し、プロジェクタ支持部１２１Ｌ、１２１Ｒに設けられた取付口（図示せず）に嵌合するように形成されている。その取付口に取付部１１３Ｌ、１１３Ｒが取り付けられたプロジェクタ１１０は、図４Ａ、４Ｂに示すように、取付部１１３Ｌ、１１３Ｒを回動軸として上下方向に回動する。
【００３０】
また、プロジェクタ１１０は、図３Ｃ、３Ｄに示すように、取付部１１３Ｒに吸気孔１１４を備え、取付部１１３Ｌに排気孔１１５を備えている。
【００３１】
プロジェクタ１１０は、図３Ｃに示すように、円筒状に形成された取付部１１３Ｒの中空部分を吸気孔１１４とする。そして、プロジェクタ１１０は、冷却用の空気（吸気）を、この吸気孔１１４から取り込むように構成されている。
【００３２】
また、プロジェクタ１１０は、図３Ｄに示すように、円筒状に形成された取付部１１３Ｌの中空部分を排気孔１１５とする。そして、プロジェクタ１１０は、冷却に使用した空気（排気）を、この排気孔１１５から排出するように構成されている。
【００３３】
なお、プロジェクタ１１０は、取付部１１３Ｒに吸気孔１１４が形成され、取付部１１３Ｌに排気孔１１５が形成されている点を除き、空気を利用した冷却のための内部構造は、一般に用いられているプロジェクタと実質的に同じであるので、プロジェクタ１１０の内部構造に関する説明は省略する。
【００３４】
［１−２．プロジェクタ支持台の内部構造］
次に、プロジェクタ支持台１２０の内部構造について説明する。
【００３５】
図５Ａ、５Ｂは、実施の形態１におけるプロジェクタ支持台１２０の断面図である。図５Ａには、図４Ａ、４ＢのＡ−Ａ線断面図を示す。
【００３６】
図６Ａ、６Ｂは、実施の形態１におけるプロジェクタ支持台１２０の内部構造を示す分解斜視図である。
【００３７】
なお、図５Ａ、図６Ａには、プロジェクタ支持部１２１Ｒの直下に吸気口１０１が位置し、プロジェクタ支持部１２１Ｌの直下に排気口１０２が位置するように回動部１０３が回動したときのプロジェクタ支持台１２０を示す。
【００３８】
また、図５Ｂ、図６Ｂには、図５Ａ、図６Ａに示す状態から回動部１０３が半回転した（１８０度回動した）ときのプロジェクタ支持台１２０を示す。
【００３９】
また、図５Ａ、５Ｂ、図６Ａ、６Ｂには、空気の流れを矢印で示す。
【００４０】
各図面に示すように、固定部１０４は、吸気口１０１、第１の吸気通路１２２、第２の排気通路１２３、排気口１０２、回動軸１２４、を有する。回動部１０３は、プロジェクタ支持部１２１Ｌ、１２１Ｒ、吸気取込口１２５、第２の吸気通路１２６、吸気排出口１２７、排気取込口１２８、第１の排気通路１２９、排気排出口１３０、軸受１３１、を有する。
【００４１】
回動軸１２４は、例えば図６Ａに示すように、固定部１０４の実質的に中央の位置に、円柱状に突出した形状で形成されている。軸受１３１は、回動部１０３の実質的に中央の位置に、円柱状の凹状に形成されている。そして、回動軸１２４と軸受１３１とは、互いに嵌合するように形成されている。回動軸１２４を軸受１３１に嵌め込むことで、回動部１０３は、固定部１０４に、回動可能に支持される。
【００４２】
第１の吸気通路１２２は、図６Ａ、６Ｂに示すように、回動軸１２４の周囲に、上方が開放した溝状に形成されており、吸気口１０１とつながっている。
【００４３】
回動部１０３は、固定部１０４に取り付けられたときに、吸気取込口１２５が第１の吸気通路１２２上に位置し（図６Ａ、６Ｂ）、吸気取込口１２５以外は第１の吸気通路１２２の上方（開放部分）を塞ぐように（図５Ａ、５Ｂ）、形成されている。また、回動部１０３は、回動部１０３が固定部１０４上を回動するとき、吸気取込口１２５が第１の吸気通路１２２に沿って第１の吸気通路１２２の上をスライドするように（図６Ａ、６Ｂ）、形成されている。
【００４４】
吸気排出口１２７は、プロジェクタ支持部１２１Ｒの上方に位置し、プロジェクタ１１０の取付部１１３Ｒと嵌合するように形成されている（図５Ａ、５Ｂ）。すなわち、吸気排出口１２７は、プロジェクタ１１０の取付部１１３Ｒを取り付けるための取付口として、実質的に機能する。これは、プロジェクタ支持部１２１Ｒにおいて、取付口と吸気排出口１２７とは一体化されている、と言い換えることができる。
【００４５】
そして、吸気取込口１２５と吸気排出口１２７とは、プロジェクタ支持部１２１Ｒの内部を通るように形成された第２の吸気通路１２６を通して互いにつながっている（図５Ａ〜６Ｂ）。
【００４６】
本実施の形態におけるプロジェクタ支持台１２０では、回動部１０３と固定部１０４とがこのような構造を有する。これにより、吸気口１０１から取り込まれた吸気は、第１の吸気通路１２２を通過した後、吸気取込口１２５から取り込まれ、第２の吸気通路１２６を通過し、吸気排出口１２７から排出される。こうして吸気排出口１２７から排出された吸気が、プロジェクタ１１０の吸気孔１１４からプロジェクタ１１０に取り込まれ、プロジェクタ１１０の冷却に使用される。
【００４７】
また、プロジェクタ支持台１２０では、回動部１０３が回動するとき、吸気取込口１２５は、第１の吸気通路１２２の上をスライドする。したがって、回動部１０３が回動しても、吸気取込口１２５は、第１の吸気通路１２２から常に吸気を取り込むことができる。そして、このとき、吸気口１０１の位置はプロジェクタ支持台１２０の設置面に対して、静止したままである。
【００４８】
従来技術では、ユーザがプロジェクタの向きを変えたときに、吸気口が外部の熱発生源の方向を図らずも向いてしまい、その熱発生源で加熱された空気が吸気口から取り込まれてしまう、といった問題が発生する可能性があった。しかし、プロジェクタ支持台１２０では、上述したように、ユーザがプロジェクタ１１０の向きを変えても吸気口１０１は当初の設置位置から移動しないので、そのような問題の発生を防止できる。
【００４９】
第２の排気通路１２３は、図６Ａ、６Ｂに示すように、第１の吸気通路１２２の外周に、上方が開放した溝状に形成されており、排気口１０２とつながっている。
【００５０】
回動部１０３は、固定部１０４に取り付けられたときに、排気排出口１３０が第２の排気通路１２３上に位置し（図６Ａ、６Ｂ）、排気排出口１３０以外は第２の排気通路１２３の上方を塞ぐように（図５Ａ、５Ｂ）、形成されている。また、回動部１０３は、回動部１０３が固定部１０４上を回動するとき、排気排出口１３０が第２の排気通路１２３に沿って第２の排気通路１２３の上をスライドするように（図６Ａ、６Ｂ）、形成されている。
【００５１】
排気取込口１２８は、プロジェクタ支持部１２１Ｌの上方に位置し、プロジェクタ１１０の取付部１１３Ｌと嵌合するように形成されている（図５Ａ、５Ｂ）。すなわち、排気取込口１２８は、プロジェクタ１１０の取付部１１３Ｌを取り付けるための取付口として、実質的に機能する。これは、プロジェクタ支持部１２１Ｌにおいて、取付口と排気取込口１２８とは一体化されている、と言い換えることができる。
【００５２】
そして、排気取込口１２８と排気排出口１３０とは、プロジェクタ支持部１２１Ｌの内部を通るように形成された第１の排気通路１２９を通して互いにつながっている（図５Ａ〜６Ｂ）。
【００５３】
本実施の形態におけるプロジェクタ支持台１２０では、回動部１０３と固定部１０４とがこのような構造を有する。これにより、プロジェクタ１１０の排気孔１１５から排出される排気は、排気取込口１２８から取り込まれ、第１の排気通路１２９を通過した後、排気排出口１３０から第２の排気通路１２３に排出される。そして、この排気は、第２の排気通路１２３を通過した後、排気口１０２から外部に排出される。プロジェクタ１１０から排出される排気は、このようにして排気口１０２から排出される。
【００５４】
また、プロジェクタ支持台１２０では、回動部１０３が回動するとき、排気排出口１３０は、第２の排気通路１２３の上をスライドする。したがって、回動部１０３が回動しても、排気排出口１３０は、排気を常に第２の排気通路１２３に排出することができる。そして、このとき、排気口１０２の位置はプロジェクタ支持台１２０の設置面に対して、静止したままである。したがって、プロジェクタ支持台１２０では、ユーザがプロジェクタ１１０の向きを変えたときに、排気口１０２から排出される排気が誤って吸気口１０１から取り込まれる、といった問題の発生を防止できる。
【００５５】
［１−３．効果等］
以上のように、本実施の形態において、プロジェクタ装置は、取付部を有するプロジェクタと、その取付部でプロジェクタを支持するプロジェクタ支持台と、を備える。
【００５６】
プロジェクタ支持台は、回動部と、固定部と、を備える。回動部は、プロジェクタの取付部を取り付け可能なプロジェクタ支持部を有する。固定部は、吸気口を有し、回動部を回動可能に支持する。また、固定部は、吸気口から取り込まれた吸気が通過する第１の吸気通路を有する。回動部は、第１の吸気通路を通過した吸気を取り込むため吸気取込口と、吸気取込口から取り込まれた吸気が通過する第２の吸気通路と、第２の吸気通路を通過した吸気をプロジェクタの吸気孔に排出する吸気排出口と、を有する。
【００５７】
プロジェクタ支持台では、回動部が固定部に対して回動するとき、吸気取込口が、第１の吸気通路上をスライドしてもよい。
【００５８】
プロジェクタは、取付部と吸気孔とが一体化されていてもよい。プロジェクタ支持台は、回動部において、プロジェクタ支持部と吸気排出口とが一体化されていてもよい。
【００５９】
プロジェクタ支持台は、プロジェクタ支持部がプロジェクタを回動可能に支持してもよい。
【００６０】
プロジェクタ支持台において、回動部は、プロジェクタの排気孔から排出される排気を取り込む排気取込口と、排気取込口から取り込まれた排気が通過する第１の排気通路と、第１の排気通路を通過した排気を排出する排気排出口と、を備えていてもよい。固定部は、排気排出口から排出される排気が通過する第２の排気通路と、第２の排気通路を通過した排気を排出する排気口と、を備えていてもよい。
【００６１】
プロジェクタ支持台では、回動部が固定部に対して回動するとき、排気排出口が、第２の排気通路上をスライドしてもよい。
【００６２】
プロジェクタは、一対の取付部を有し、一対の取付部の一方と吸気孔とが一体化され、一対の取付部の他方と排気孔とが一体化されていてもよい。プロジェクタ支持台は、回動部に一対のプロジェクタ支持部を有し、一対のプロジェクタ支持部の一方と吸気排出口とが一体化され、一対のプロジェクタ支持部の他方と排気取込口とが一体化されていてもよい。
【００６３】
従来技術では、ユーザがプロジェクタの向きを変えたときに、吸気口が外部の熱発生源の方向を図らずも向いてしまい、その熱発生源で加熱された空気が吸気口から取り込まれてしまう、といった問題が発生する可能性があった。しかし、プロジェクタ支持台１２０では、上述したように、ユーザがプロジェクタ１１０の向きを変えても吸気口１０１は当初の設置位置から移動しない。これにより、そのような問題の発生を防止できる。
【００６４】
なお、本実施の形態において、プロジェクタ装置１００はプロジェクタ装置の一例である。プロジェクタ１１０はプロジェクタの一例である。プロジェクタ支持台１２０はプロジェクタ支持台の一例である。回動部１０３は回動部の一例である。固定部１０４は固定部の一例である。吸気口１０１は吸気口の一例である。第１の吸気通路１２２は第１の吸気通路の一例である。吸気取込口１２５は吸気取込口の一例である。第２の吸気通路１２６は第２の吸気通路の一例である。吸気排出口１２７は吸気排出口の一例である。プロジェクタ支持部１２１Ｌ、１２１Ｒはプロジェクタ支持部の一例である。取付部１１３Ｌ、１１３Ｒは取付部の一例である。吸気孔１１４は吸気孔の一例である。排気孔１１５は排気孔の一例である。排気取込口１２８は排気取込口の一例である。第１の排気通路１２９は第１の排気通路の一例である。排気排出口１３０は排気排出口の一例である。第２の排気通路１２３は第２の排気通路の一例である。排気口１０２は排気口の一例である。
【００６５】
（実施の形態２）
実施の形態１では、プロジェクタ支持台１２０に排気口１０２を設ける構成を説明した。しかし、プロジェクタが排気口を備えていれば、プロジェクタ支持台に排気口を設けなくてもよい。本実施の形態では、プロジェクタ支持台が排気口を備えない構成を説明する。
【００６６】
以下、図７〜図１１を用いて、実施の形態２を説明する。
【００６７】
［２−１．構成］
図７は、実施の形態２におけるプロジェクタ装置２００を前方右上方向から見た斜視図である。
【００６８】
図７に示すように、プロジェクタ装置２００は、プロジェクタ２１０と、プロジェクタ支持台２２０と、を備える。
【００６９】
プロジェクタ支持台２２０は、回動部２０３と、固定部２０４と、を備える。
【００７０】
回動部２０３は、プロジェクタ２１０を回動可能に支持する一対のプロジェクタ支持部２２１Ｌ、２２１Ｒを有する。
【００７１】
固定部２０４は、吸気口２０１を有し、回動部２０３を回動可能に支持する。
【００７２】
図８Ａは、実施の形態２におけるプロジェクタ２１０の正面図である。図８Ｂは、実施の形態２におけるプロジェクタ２１０の背面図である。図８Ｃは、実施の形態２におけるプロジェクタ２１０の右側面図である。図８Ｄは、実施の形態２におけるプロジェクタ２１０の左側面図である。
【００７３】
図９は、実施の形態２におけるプロジェクタ装置２００の右側面図である。
【００７４】
図８Ａ〜８Ｄに示すように、プロジェクタ２１０は、映像投射部２０５と、排気口２０２と、を前面２１１に備えている。また、プロジェクタ２１０は、プロジェクタ２１０を前方から見たときの右側面に取付部２１３Ｒを備え、左側面に取付部２１３Ｌを備えている。また、取付部２１３Ｒには吸気孔２１４が設けられている。また、プロジェクタ２１０は、背面２１２等に映像信号入力端子やコンピュータ接続端子等を備えていてもよい。
【００７５】
プロジェクタ２１０は、排気を外部に排出するための排気口２０２が前面２１１に設けられている点を除き、実施の形態１で説明したプロジェクタ１１０と実質的に同じであるので、詳細な説明は省略する。
【００７６】
なお、排気口２０２は、例えば背面２１２等、前面２１１以外の場所に設けられていてもよい。
【００７７】
［２−２．プロジェクタ支持台の内部構造］
次に、プロジェクタ支持台２２０の内部構造について説明する。
【００７８】
図１０Ａ、１０Ｂは、実施の形態２におけるプロジェクタ支持台２２０の断面図である。図１０Ａには、図９のＡ−Ａ線断面図を示す。
【００７９】
図１１は、実施の形態２におけるプロジェクタ支持台２２０の内部構造を示す分解斜視図である。
【００８０】
なお、図１０Ａには、プロジェクタ支持部２２１Ｒの直下に吸気口２０１が位置するように回動部２０３が回動したときのプロジェクタ支持台２２０の断面図を示す。
【００８１】
また、図１０Ｂには、図１０Ａに示す状態から回動部２０３が半回転した（１８０度回動した）ときのプロジェクタ支持台２２０の断面図を示す。
【００８２】
また、図１０Ａ、１０Ｂ、図１１には、空気の流れを矢印で示す。
【００８３】
各図面に示すように、固定部２０４は、吸気口２０１、第１の吸気通路２２２、回動軸２２４、を有する。回動部２０３は、プロジェクタ支持部２２１Ｌ、２２１Ｒ、吸気取込口２２５、第２の吸気通路２２６、吸気排出口２２７、取付口２２８、軸受２３１、を有する。
【００８４】
固定部２０４は、実施の形態１に示した固定部１０４と比較して、第２の排気通路、排気口、を備えていない。しかし、固定部２０４は、その点を除き固定部１０４と実質的に同じであるので、詳細な説明は省略する。
【００８５】
また、回動部２０３は、実施の形態１に示した回動部１０３と比較して、排気取込口、第１の排気通路、排気排出口、を備えていない。ただし、排気取込口に代えて、プロジェクタの取付部２１３Ｌに嵌合するように形成された取付口２２８がプロジェクタ支持部２２１Ｌに形成されている。回動部２０３は、その点を除き回動部１０３と実質的に同じであるので、詳細な説明は省略する。
【００８６】
このように構成されたプロジェクタ支持台２２０では、実施の形態１に示したプロジェクタ支持台１２０と同様に、回動部２０３が回動するとき、吸気取込口２２５は、第１の吸気通路２２２の上をスライドする。したがって、回動部２０３が回動しても、吸気取込口２２５は、第１の吸気通路２２２から常に吸気を取り込むことができる。そして、このとき、吸気口２０１の位置はプロジェクタ支持台２２０の設置面に対して、静止したままである。
【００８７】
したがって、プロジェクタ装置２００においても、実施の形態１と同様に、ユーザがプロジェクタの向きを変えたときに、吸気口が外部の熱発生源の方向を図らずも向いてしまい、その熱発生源で加熱された空気が吸気口から取り込まれてしまう、といった問題が発生するのを防止できる。
【００８８】
［２−３．効果等］
以上のように、本実施の形態において、プロジェクタ装置は、取付部を有するプロジェクタと、その取付部でプロジェクタを支持するプロジェクタ支持台と、を備える。
【００８９】
プロジェクタ支持台は、回動部と、固定部と、を備える。回動部は、プロジェクタの取付部を取り付け可能なプロジェクタ支持部を有する。固定部は、吸気口を有し、回動部を回動可能に支持する。また、固定部は、吸気口から取り込まれた吸気が通過する第１の吸気通路を有する。回動部は、第１の吸気通路を通過した吸気を取り込むため吸気取込口と、吸気取込口から取り込まれた吸気が通過する第２の吸気通路と、第２の吸気通路を通過した吸気をプロジェクタの吸気孔に排出する吸気排出口と、を有する。
【００９０】
これにより、プロジェクタ支持台２２０では、ユーザがプロジェクタ２１０の向きを変えても吸気口２０１は当初の設置位置から移動しない。したがって、ユーザがプロジェクタの向きを変えたときに、吸気口が外部の熱発生源の方向を図らずも向いてしまい、その熱発生源で加熱された空気が吸気口から取り込まれてしまう、といった問題が発生するのを防止できる。
【００９１】
なお、本実施の形態において、プロジェクタ装置２００はプロジェクタ装置の一例である。プロジェクタ２１０はプロジェクタの一例である。プロジェクタ支持台２２０はプロジェクタ支持台の一例である。回動部２０３は回動部の一例である。固定部２０４は固定部の一例である。吸気口２０１は吸気口の一例である。第１の吸気通路２２２は第１の吸気通路の一例である。吸気取込口２２５は吸気取込口の一例である。第２の吸気通路２２６は第２の吸気通路の一例である。吸気排出口２２７は吸気排出口の一例である。プロジェクタ支持部２２１Ｌ、２２１Ｒはプロジェクタ支持部の一例である。取付部２１３Ｌ、２１３Ｒは取付部の一例である。吸気孔２１４は吸気孔の一例である。
【００９２】
（実施の形態３）
実施の形態１、２では、固定部の側面に吸気口を設ける構成を説明した。しかし、吸気口の設置位置は何ら固定部の側面に限定されない。本実施の形態では、固定部の側面以外の場所に吸気口を設ける構成を説明する。
【００９３】
なお、本実施の形態では、実施の形態２と同様に、プロジェクタが排気口を備えており、プロジェクタ支持台に排気口を設けない構成を説明する。
【００９４】
以下、図１２〜図１５を用いて、実施の形態３を説明する。
【００９５】
［３−１．構成］
図１２は、実施の形態３におけるプロジェクタ装置３００を前方右上方向から見た斜視図である。
【００９６】
図１２に示すように、プロジェクタ装置３００は、プロジェクタ２１０と、プロジェクタ支持台３２０と、を備える。
【００９７】
このプロジェクタ２１０は、実施の形態２で示したプロジェクタ２１０と実質的に同じであるので、説明を省略する。
【００９８】
プロジェクタ支持台３２０は、回動部３０３と、固定部３０４と、を備える。
【００９９】
回動部３０３は、プロジェクタ２１０を回動可能に支持する一対のプロジェクタ支持部３２１Ｌ、３２１Ｒを有する。
【０１００】
固定部３０４は、回動軸３２４と、吸気口３０１と、を有し、回動部３０３を回動可能に支持する。本実施の形態では、実施の形態１、２と異なり、回動軸３２４に吸気口３０１が設けられている。
【０１０１】
［３−２．プロジェクタ支持台の内部構造］
次に、プロジェクタ支持台３２０の内部構造について説明する。
【０１０２】
図１３は、実施の形態３におけるプロジェクタ装置３００の右側面図である。
【０１０３】
図１４Ａ、１４Ｂは、実施の形態３におけるプロジェクタ支持台３２０の断面図である。図１４Ａには、図１３のＡ−Ａ線断面図を示す。図１４Ｂには、図１４Ａに示す状態から回動部３０３が半回転した（１８０度回動した）ときのプロジェクタ支持台３２０の断面図を示す。
【０１０４】
図１５は、実施の形態３におけるプロジェクタ支持台３２０の内部構造を示す分解斜視図である。
【０１０５】
また、図１４Ａ、１４Ｂ、図１５には、空気の流れを矢印で示す。
【０１０６】
各図面に示すように、固定部３０４は、吸気口３０１、第１の吸気通路３２２、回動軸３２４、を有する。回動部３０３は、プロジェクタ支持部３２１Ｌ、３２１Ｒ、吸気取込口３２５、第２の吸気通路３２６、吸気排出口３２７、取付口３２８、軸受３３１、を有する。
【０１０７】
回動軸３２４は、例えば図１５に示すように、固定部３０４の実質的に中央の位置に、円柱状に突出した形状で形成されている。軸受３３１は、回動部３０３の実質的に中央の位置に形成されている。そして、回動軸３２４と軸受３３１とは、互いに嵌合するように形成されている。回動軸３２４を軸受３３１に嵌め込むことで、回動部３０３は、固定部３０４に、回動可能に支持される。
【０１０８】
プロジェクタ支持台３２０においては、回動軸３２４を軸受３３１に嵌め込んだときに、回動軸３２４の上面が外部に露出するように、軸受３３１は貫通している。そして、回動軸３２４の、その露出する上面に、吸気口３０１が設けられている。
【０１０９】
第１の吸気通路３２２は、図１５に示すように、回動軸３２４の側面に、溝状に形成されており、吸気口３０１とつながっている。
【０１１０】
回動部３０３は、固定部３０４に取り付けられたときに、吸気取込口３２５が第１の吸気通路３２２上に位置し（図１４Ａ、１４Ｂ、図１５）、吸気取込口３２５以外は第１の吸気通路３２２の開放部分を塞ぐように（図１４Ａ、１４Ｂ）、形成されている。また、回動部３０３は、回動部３０３が固定部３０４上を回動するとき、吸気取込口３２５が第１の吸気通路３２２に沿って第１の吸気通路３２２の上をスライドするように（図１４Ａ、１４Ｂ、図１５）、形成されている。
【０１１１】
なお、厳密に言えば、本実施の形態に示す第１の吸気通路３２２は、側方が開放しており、吸気取込口３２５はこの開放領域に面するように形成され、回動部３０３が回動するとき、吸気取込口３２５は、この開放領域に沿ってスライドする。しかし、本実施の形態では、説明をわかりやすくするために、吸気取込口３２５は第１の吸気通路３２２上に位置し、第１の吸気通路３２２上をスライドする、と表記している。
【０１１２】
そして、吸気取込口３２５と吸気排出口３２７とは、プロジェクタ支持部３２１Ｒの内部を通るように形成された第２の吸気通路３２６を通して互いにつながっている（図５Ａ〜６Ｂ）。
【０１１３】
本実施の形態におけるプロジェクタ支持台３２０では、回動部３０３と固定部３０４とがこのような構造を有する。これにより、吸気口３０１から取り込まれた吸気は、第１の吸気通路３２２を通過した後、吸気取込口３２５から取り込まれ、第２の吸気通路３２６を通過し、吸気排出口３２７から排出される。こうして吸気排出口３２７から排出された吸気が、プロジェクタ２１０の吸気孔２１４からプロジェクタ２１０に取り込まれ、プロジェクタ２１０の冷却に使用される。
【０１１４】
また、プロジェクタ支持台３２０では、回動部３０３が回動するとき、吸気取込口３２５は、第１の吸気通路３２２の上をスライドする。したがって、回動部３０３が回動しても、吸気取込口３２５は、第１の吸気通路３２２から常に吸気を取り込むことができる。そして、このとき、吸気口３０１の位置は静止したままである。
【０１１５】
したがって、プロジェクタ装置３００においても、実施の形態１、２と同様に、ユーザがプロジェクタの向きを変えたときに、吸気口が外部の熱発生源の方向を図らずも向いてしまい、その熱発生源で加熱された空気が吸気口から取り込まれてしまう、といった問題が発生するのを防止できる。
【０１１６】
また、プロジェクタ装置３００では、映像投射部２０５が真下を向いて映像光を投射する、といった状況が発生する可能性は低いので、前面２１１に設けられた排気口２０２から排出される排気が吸気口３０１から取り込まれる可能性は低い。
【０１１７】
［３−３．効果等］
以上のように、本実施の形態において、プロジェクタ装置は、取付部を有するプロジェクタと、その取付部でプロジェクタを支持するプロジェクタ支持台と、を備える。
【０１１８】
プロジェクタ支持台は、回動部と、固定部と、を備える。回動部は、プロジェクタの取付部を取り付け可能なプロジェクタ支持部を有する。固定部は、吸気口を有し、回動部を回動可能に支持する。また、固定部は、吸気口から取り込まれた吸気が通過する第１の吸気通路を有する。回動部は、第１の吸気通路を通過した吸気を取り込むため吸気取込口と、吸気取込口から取り込まれた吸気が通過する第２の吸気通路と、第２の吸気通路を通過した吸気をプロジェクタの吸気孔に排出する吸気排出口と、を有する。
【０１１９】
これにより、プロジェクタ支持台３２０では、ユーザがプロジェクタ２１０の向きを変えても吸気口３０１は当初の設置位置から移動しない。したがって、ユーザがプロジェクタの向きを変えたときに、吸気口が外部の熱発生源の方向を図らずも向いてしまい、その熱発生源で加熱された空気が吸気口から取り込まれてしまう、といった問題が発生するのを防止できる。
【０１２０】
なお、本実施の形態において、プロジェクタ装置３００はプロジェクタ装置の一例である。プロジェクタ支持台３２０はプロジェクタ支持台の一例である。回動部３０３は回動部の一例である。固定部３０４は固定部の一例である。吸気口３０１は吸気口の一例である。第１の吸気通路３２２は第１の吸気通路の一例である。吸気取込口３２５は吸気取込口の一例である。第２の吸気通路３２６は第２の吸気通路の一例である。吸気排出口３２７は吸気排出口の一例である。プロジェクタ支持部３２１Ｌ、３２１Ｒはプロジェクタ支持部の一例である。
【０１２１】
（他の実施の形態）
以上のように、本出願において開示する技術の例示として、実施の形態１〜３を説明した。しかしながら、本開示における技術は、これに限定されず、変更、置き換え、付加、省略等を行った実施の形態にも適用できる。また、上記実施の形態１〜３で説明した各構成要素を組み合わせて、新たな実施の形態とすることも可能である。
【０１２２】
そこで、以下、他の実施の形態を例示する。
【０１２３】
実施の形態１〜３では、取付部と吸気孔とが一体化されたプロジェクタを示した。また、実施の形態１では、取付部と排気孔とが一体化されたプロジェクタを示した。そして、そのようなプロジェクタに対応するために、実施の形態１〜３では、取付口と吸気排出口とが一体化されたプロジェクタ支持台を示した。また、実施の形態１では、取付口と排気取込口とが一体化されたプロジェクタ支持台を示した。しかし、本開示は何らこの構成に限定されない。取付部と吸気孔とが別々に設けられたプロジェクタ、または、取付部と排気孔とが別々に設けられたプロジェクタに対応するために、プロジェクタ支持台において取付口と吸気排出口とを別々に設けてもよく、取付口と排気取込口とを別々に設けてもよい。
【０１２４】
実施の形態１〜３では、前方から見て右側のプロジェクタ支持部に第２の吸気通路および吸気排出口を設けたプロジェクタ支持台を示した。しかし、本開示は何らこの構成に限定されない。例えば、前方から見て左側の取付部に吸気孔を備えたプロジェクタに対応するために、プロジェクタ支持台において、前方から見て左側のプロジェクタ支持部に第２の吸気通路および吸気排出口を設けてもよい。そして、そのプロジェクタ支持台に、必要に応じて、前方から見て右側のプロジェクタ支持部に第１の排気通路および排気取込口を設けてもよい。
【０１２５】
実施の形態１では、回動軸の周囲に第１の吸気通路を設け、第１の吸気通路の外周に第２の排気通路を設けたプロジェクタ支持台を示した。しかし、本開示は何らこの構成に限定されない。例えば、回動軸の周囲に第２の排気通路を設け、第２の排気通路の外周に第１の吸気通路を設けてもよい。その場合、回動部においては、第１の吸気通路と第２の排気通路の配置位置にもとづき、吸気取込口および排気排出口を設けるものとする。
【０１２６】
実施の形態１〜３では、プロジェクタ支持部が直方体の形状で形成されたプロジェクタ支持台を示した。しかし、本開示は何らこの構成に限定されない。プロジェクタ支持部はプロジェクタを回動可能に支持できる形状であればよく、例えば円柱状等、他の形状であってもよい。
【０１２７】
実施の形態１〜３では、回動部と固定部とがそれぞれ円柱状の形状で形成されたプロジェクタ支持台を示した。しかし、本開示は何らこの構成に限定されない。回動部と固定部とは、他の形状であってもよい。
【０１２８】
実施の形態１〜３では、円柱状に形成された回動軸を備えたプロジェクタ支持台を示した。しかし、本開示は何らこの構成に限定されない。回動軸は、回動部を回動可能に支持できる形状であればよい。回動軸は、例えば半球状等、円柱状以外の形状であってもよい。
【０１２９】
実施の形態１〜３では、プロジェクタの取付部が凸状に形成され、プロジェクタ支持部の取付口が凹状に形成されたプロジェクタ装置を示したが、本開示は何らこの構成に限定されない。プロジェクタ装置において、プロジェクタの取付部が凹状に形成され、プロジェクタ支持部の取付口が凸状に形成されてもよい。
【０１３０】
本開示において、プロジェクタ支持部は、プロジェクタの回動範囲を制限するように構成されていてもよい。あるいは、プロジェクタ支持部は、プロジェクタを固定して支持する構成であってもよい。
【０１３１】
本開示において、プロジェクタ支持台は、回動部の回動範囲を制限するように構成されていてもよい。その場合、その回動範囲に合わせて第１の吸気通路または第２の排気通路が形成されてもよい。
【０１３２】
実施の形態３では、排気取込口、第１の排気通路、排気排出口、第２の排気通路、および排気口を備えないプロジェクタ支持台を示した。しかし、本開示は何らこの構成に限定されない。実施の形態３に示したプロジェクタ支持台に、実施の形態１に示した排気取込口、第１の排気通路、排気排出口、第２の排気通路、および排気口と同様のものを設けてもよい。その場合、そのプロジェクタ支持台は、実施の形態１に示したプロジェクタ１１０と同じ構成のプロジェクタを搭載することができる。
【０１３３】
なお、本開示は、プロジェクタ支持台において吸気口から吸気を取り込む手段を、何ら限定するものではない。例えば、吸気口から吸気排出口までのいずれかの場所に吸引力を発生する装置（例えば、ファン等）を設けてもよく、もしくは、プロジェクタが備える空気を吸引する力を利用する構成であってもよい。これは、排気についても同様である。
【０１３４】
なお、本開示においては、実施の形態１〜３に示した吸気口と排気口の位置を互いに入れ替えた構成としてもよい。
【産業上の利用可能性】
【０１３５】
本開示は、プロジェクタ支持台にプロジェクタが搭載されたプロジェクタ装置に適用可能である。具体的には、プロジェクションマッピングに利用されるプロジェクタ装置およびプロジェクタ支持台、等に本開示は適用可能である。
【符号の説明】
【０１３６】
１００，２００，３００    プロジェクタ装置
１０１，２０１，３０１    吸気口
１０２，２０２    排気口
１０３，２０３，３０３    回動部
１０４，２０４，３０４    固定部
１０５，２０５    映像投射部
１１０，２１０    プロジェクタ
１１１，２１１    前面
１１２，２１２    背面
１１３Ｌ，１１３Ｒ，２１３Ｌ，２１３Ｒ    取付部
１１４，２１４    吸気孔
１１５    排気孔
１２０，２２０，３２０    プロジェクタ支持台
１２１Ｌ，１２１Ｒ，２２１Ｌ，２２１Ｒ，３２１Ｌ，３２１Ｒ    プロジェクタ支持部
１２２，２２２，３２２    第１の吸気通路
１２３    第２の排気通路
１２４，２２４，３２４    回動軸
１２５，２２５，３２５    吸気取込口
１２６，２２６，３２６    第２の吸気通路
１２７，２２７，３２７    吸気排出口
１２８    排気取込口
１２９    第１の排気通路
１３０    排気排出口
１３１，２３１，３３１    軸受
２２８，３２８    取付口
【図１】
0006035522.tif 000002
【図２】
0006035522.tif 000003
【図３Ａ】
0006035522.tif 000004
【図３Ｂ】
0006035522.tif 000005
【図３Ｃ】
0006035522.tif 000006
【図３Ｄ】
0006035522.tif 000007
【図４Ａ】
0006035522.tif 000008
【図４Ｂ】
0006035522.tif 000009
【図５Ａ】
0006035522.tif 000010
【図５Ｂ】
0006035522.tif 000011
【図６Ａ】
0006035522.tif 000012
【図６Ｂ】
0006035522.tif 000013
【図７】
0006035522.tif 000014
【図８Ａ】
0006035522.tif 000015
【図８Ｂ】
0006035522.tif 000016
【図８Ｃ】
0006035522.tif 000017
【図８Ｄ】
0006035522.tif 000018
【図９】
0006035522.tif 000019
【図１０Ａ】
0006035522.tif 000020
【図１０Ｂ】
0006035522.tif 000021
【図１１】
0006035522.tif 000022
【図１２】
0006035522.tif 000023
【図１３】
0006035522.tif 000024
【図１４Ａ】
0006035522.tif 000025
【図１４Ｂ】
0006035522.tif 000026
【図１５】
0006035522.tif 000027